【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
１つまたは複数のアクセスユニットを備えるマルチレイヤビデオデータを処理する方法であって、各アクセスユニットは、単一の時間インスタンスにわたるビデオデータを含み、
高効率ビデオコーディング（ＨＥＶＣ）の拡張に従ってコーディングされたエンハンスメントレイヤビデオデータを含むエレメンタリストリームのための第１の記述子を復号することと、ここにおいて、前記第１の記述子は、エンハンスメントレイヤが依存する２つ以上の参照レイヤを示すデータを含む、ここにおいて、前記２つ以上の参照レイヤが、第１のスケーラビリティ次元に準拠する第１の参照レイヤと、前記第１のスケーラビリティ次元とは異なる第２のスケーラビリティ次元に準拠する第２の参照レイヤとを含む、ここにおいて、前記エンハンスメントレイヤの少なくとも１つのエンハンスメントピクチャは、前記第１の参照レイヤの第１の参照ピクチャおよび前記第２の参照レイヤの第２の参照ピクチャから予測される、ここにおいて、前記エンハンスメントピクチャ、前記第１の参照ピクチャ、および前記第２の参照ピクチャは、共通のアクセスユニットに含まれる、
前記２つ以上の参照レイヤを示す前記データに少なくとも部分的に基づいて前記ビデオデータを処理することと
を備え、
ここにおいて、前記第１及び第２のスケーラビリティ次元のうちの少なくとも１つは、ピーク信号対雑音比（ＰＳＮＲ）スケーラビリティ次元、クロマビット深度スケーラビリティ次元、色フォーマットスケーラビリティ次元、色域フォーマットスケーラビリティ次元、ビュー次元、または空間解像度スケーラビリティ次元である、方法。
【請求項２】
前記第１の記述子を復号することは、各々が、複数のエンハンスメントレイヤの各々に対応する複数のスケーラビリティビットを復号することを備える、ここにおいて、前記スケーラビリティビットの各々の値は、前記それぞれのエンハンスメントレイヤが前記エレメンタリストリーム中に含まれるかどうかを示す、請求項１に記載の方法。
【請求項３】
複数の動作点の各々について、前記動作点のための出力のために必要とされるレイヤを示すさらなる記述子の情報を復号することをさらに備える、請求項１に記載の方法。
【請求項４】
前記エンハンスメントレイヤの時間サブレイヤを示す表すデータを含むさらなる記述子を復号すること、ここにおいて、前記第１の記述子が、前記エンハンスメントレイヤの時間サブレイヤを表すデータを含まない、をさらに備える、請求項１に記載の方法。
【請求項５】
前記第１の記述子を復号することは、前記ビデオデータが複数のレイヤを含んでいるときに複数のレイヤ識別子を復号することを備える、請求項１に記載の方法。
【請求項６】
前記第１の記述子を復号することが、１つまたは複数のレイヤと、前記１つまたは複数のレイヤのうちの１つに対応するエレメンタリストリームのためのインデックスとを示す情報を復号することを備える、請求項１に記載の方法。
【請求項７】
前記拡張が、マルチビューＨＥＶＣ（ＭＶ−ＨＥＶＣ）と、３次元ＨＥＶＣ（３Ｄ−ＨＥＶＣ）と、スケーラブルＨＥＶＣ（ＳＨＶＣ）とのうちの１つを備える、請求項１に記載の方法。
【請求項８】
処理することが、前記２つ以上の参照レイヤを表す前記データに少なくとも部分的に基づいて前記エンハンスメントレイヤと前記参照レイヤとを多重分離することを備える、請求項１に記載の方法。
【請求項９】
処理することが、
出力されるべき、前記エンハンスメントレイヤを含む動作点を決定することと、
前記決定された動作点に基づいて出力されるべきである前記第１の参照レイヤまたは前記第２の参照レイヤのうちの少なくとも１つを決定することと、
前記２つ以上の参照レイヤを示す前記データと前記決定された動作点とに少なくとも部分的に基づいてサブビットストリーム抽出を実行することと
を備える、請求項１に記載の方法。
【請求項１０】
１つまたは複数のアクセスユニットを備えるマルチレイヤビデオデータを処理するためのデバイスであって、各アクセスユニットは、単一の時間インスタンスにわたるビデオデータを含み、
高効率ビデオコーディング（ＨＥＶＣ）の拡張に従ってコーディングされたエンハンスメントレイヤビデオデータを記憶するためのメモリと、
エンハンスメントレイヤを含むエレメンタリストリームのための第１の記述子を復号することと、ここにおいて、前記第１の記述子は、エンハンスメントレイヤが依存する２つ以上の参照レイヤを示すデータを含む、ここにおいて、前記２つ以上の参照レイヤが、第１のスケーラビリティ次元に準拠する第１の参照レイヤと、前記第１のスケーラビリティ次元とは異なる第２のスケーラビリティ次元に準拠する第２の参照レイヤとを含む、ここにおいて、前記エンハンスメントレイヤの少なくとも１つのエンハンスメントピクチャは、前記第１の参照レイヤの第１の参照ピクチャおよび前記第２の参照レイヤの第２の参照ピクチャから予測される、ここにおいて、前記エンハンスメントピクチャ、前記第１の参照ピクチャ、および前記第２の参照ピクチャは、共通のアクセスユニットに含まれる、
前記２つ以上の参照レイヤを示す前記データに少なくとも部分的に基づいて前記ビデオデータを処理することとを行うように構成された１つまたは複数のプロセッサと
を備え、
ここにおいて、前記第１及び第２のスケーラビリティ次元のうちの少なくとも１つは、ピーク信号対雑音比（ＰＳＮＲ）スケーラビリティ次元、クロマビット深度スケーラビリティ次元、色フォーマットスケーラビリティ次元、色域フォーマットスケーラビリティ次元、ビュー次元、または空間解像度スケーラビリティ次元である、デバイス。
【請求項１１】
前記１つまたは複数のプロセッサは、各々が、複数のエンハンスメントレイヤの各々に対応する複数のスケーラビリティビットを復号することを行うように構成された、ここにおいて、前記スケーラビリティビットの各々の値は、前記それぞれのエンハンスメントレイヤが前記エレメンタリストリーム中に含まれるかどうかを示す、請求項１０に記載のデバイス。
【請求項１２】
前記１つまたは複数のプロセッサが、前記２つ以上の参照レイヤを示す前記データに少なくとも部分的に基づいて前記エンハンスメントレイヤと前記参照レイヤとを多重分離することを行うように構成された、請求項１０に記載のデバイス。
【請求項１３】
前記デバイスが、
集積回路、または
ワイヤレス通信デバイス
のうちの少なくとも１つを備える、請求項１０に記載のデバイス。
【請求項１４】
１つまたは複数のアクセスユニットを備えるマルチレイヤビデオデータを処理する方法であって、各アクセスユニットは、単一の時間インスタンスにわたるビデオデータを含み、
高効率ビデオコーディング（ＨＥＶＣ）の拡張に従ってコーディングされたエンハンスメントレイヤと前記エンハンスメントレイヤが依存する２つ以上の参照レイヤとを含むビデオデータを受信することと、ここにおいて、前記２つ以上の参照レイヤが、第１のスケーラビリティ次元に準拠する第１の参照レイヤと、前記第１のスケーラビリティ次元とは異なる第２のスケーラビリティ次元に準拠する第２の参照レイヤとを含む、ここにおいて、前記エンハンスメントレイヤの少なくとも１つのエンハンスメントピクチャは、前記第１の参照レイヤの第１の参照ピクチャおよび前記第２の参照レイヤの第２の参照ピクチャから予測される、ここにおいて、前記エンハンスメントピクチャ、前記第１の参照ピクチャ、および前記第２の参照ピクチャは、共通のアクセスユニットに含まれる、
第１の記述子を符号化することと、ここにおいて、前記第１の記述子が、前記エンハンスメントレイヤが依存する前記２つ以上の参照レイヤを示すデータを含む、を備え、
ここにおいて、前記第１及び第２のスケーラビリティ次元のうちの少なくとも１つは、ピーク信号対雑音比（ＰＳＮＲ）スケーラビリティ次元、クロマビット深度スケーラビリティ次元、色フォーマットスケーラビリティ次元、色域フォーマットスケーラビリティ次元、ビュー次元、または空間解像度スケーラビリティ次元である方法。
【請求項１５】
１つまたは複数のアクセスユニットを備えるマルチレイヤビデオデータを処理するためのデバイスであって、各アクセスユニットは、単一の時間インスタンスにわたるビデオデータを含み、
高効率ビデオコーディング（ＨＥＶＣ）の拡張に従ってコーディングされたエンハンスメントレイヤと前記エンハンスメントレイヤが依存する２つ以上の参照レイヤとを含むビデオデータを記憶するためのメモリと、ここにおいて、前記２つ以上の参照レイヤが、第１のスケーラビリティ次元に準拠する第１の参照レイヤと、前記第１のスケーラビリティ次元とは異なる第２のスケーラビリティ次元に準拠する第２の参照レイヤとを含む、ここにおいて前記エンハンスメントレイヤの少なくとも１つのエンハンスメントピクチャは、前記第１の参照レイヤの第１の参照ピクチャおよび前記第２の参照レイヤの第２の参照ピクチャから予測される、ここにおいて、前記エンハンスメントピクチャ、前記第１の参照ピクチャ、および前記第２の参照ピクチャは、共通のアクセスユニットに含まれる、
第１の記述子を符号化することを行うように構成された１つまたは複数のプロセッサと、ここにおいて、前記第１の記述子が、前記エンハンスメントレイヤが依存する前記２つ以上の参照レイヤを示すデータを含む、を備え、
ここにおいて、前記第１及び第２のスケーラビリティ次元のうちの少なくとも１つは、ピーク信号対雑音比（ＰＳＮＲ）スケーラビリティ次元、クロマビット深度スケーラビリティ次元、色フォーマットスケーラビリティ次元、色域フォーマットスケーラビリティ次元、ビュー次元、または空間解像度スケーラビリティ次元であるデバイス。
【請求項１６】
実行されたときに、プロセッサに、請求項１から９、及び請求項１４のいずれか一項に記載の方法を実行させる命令を記憶したコンピュータ可読記憶媒体。